(57)【要約】【課題】ドライバーの異常により迅速に運転を中止することができ、さらに必要に応じて異常に至るまでの経過情報を迅速に提供することができるようにする。【解決手段】生体情報取得部１４で取得される生体情報を外部通信部１２により外部サーバ３Ａ〜３Ｄ、３Ｘに送出し、生体情報取得部１４で取得される生体情報の判定によりドライバーの異常を検出し、ドライバーの異常が検出されない場合、生体情報を外部サーバ３Ａ〜３Ｄ、３Ｘに送出して外部サーバ３Ａ〜３Ｄ、３Ｘから得られる生体情報の分析結果をドライバーに通知し、ドライバーの異常が検出されると、情報提供部１３によりドライバーに警告を通知し、ドライバーに警告を通知しても、ドライバーの異常が解消しない場合、車両の走行を停止する。【選択図】図１
2020119385.tif 000002
【特許請求の範囲】
【請求項１】
ドライバー（Ｄ）の生体情報を取得する生体情報取得部（１４）と、
外部サーバ（３Ａ〜３Ｄ、３Ｘ）とのデータ通信に供する外部通信部（１２）と、
前記ドライバー（Ｄ）に情報を提供する情報提供部（１３）と、
前記外部通信部（１２）及び前記情報提供部（１３）を制御する制御部（１５）とを備え、
前記制御部（１５）は、
前記生体情報取得部（１４）で取得される前記生体情報を前記外部通信部（１２）により前記外部サーバ（３Ａ〜３Ｄ、３Ｘ）に送出し、
前記生体情報取得部（１４）で取得される前記生体情報の判定により前記ドライバー（Ｄ）の異常を検出し、
前記ドライバー（Ｄ）の異常が検出されない場合、前記生体情報を前記外部サーバ（３Ａ〜３Ｄ、３Ｘ）に送出して前記外部サーバ（３Ａ〜３Ｄ、３Ｘ）から得られる前記生体情報の分析結果を前記ドライバー（Ｄ）に通知し、
前記ドライバー（Ｄ）の異常が検出されると、前記情報提供部（１３）により前記ドライバー（Ｄ）に警告を通知し、
前記ドライバー（Ｄ）に警告を通知しても、前記ドライバー（Ｄ）の異常が解消しない場合、車両の走行を停止する
運転管理装置。
【請求項２】
前記制御部（１５）は、
前記生体情報取得部（１４）で取得される生体情報を記録する生体情報記録部（２９）を備え、
前記生体情報記録部（２９）に記録した前記生体情報を基準にして、前記生体情報取得部（１４）で取得される前記生体情報を判定して前記ドライバー（Ｄ）の異常を検出する
請求項１に記載の運転管理装置。
【請求項３】
前記情報提供部（１３）が、前記車両の車両情報を表示する表示部（１３Ａ）であり、
前記制御部（１５）は、
前記表示部（１３Ａ）を介して、前記生体情報の分析結果を前記ドライバー（Ｄ）に通知する
請求項１又は請求項２に記載の運転管理装置。
【請求項４】
前記ドライバー（Ｄ）の情報携帯端末（２）との間でデータ通信する内部通信部（１１）を備え、
前記制御部（１５）は、
前記内部通信部（１１）により、前記ドライバー（Ｄ）の情報携帯端末（２）を介して、前記生体情報の分析結果を前記ドライバー（Ｄ）に通知する
請求項１又は請求項２に記載の運転管理装置。
【請求項５】
前記制御部（１５）は、
前記ドライバー（Ｄ）により前記外部サーバ（３Ａ〜３Ｄ、３Ｘ）の選択を受け付け、
前記生体情報を送出して分析結果を取得する外部サーバ（３Ａ〜３Ｄ、３Ｘ）が、
前記ドライバー（Ｄ）により選択された外部サーバ（３Ａ〜３Ｄ、３Ｘ）である
請求項１、請求項２、請求項３、請求項４の何れかに記載の運転管理装置。
【請求項６】
前記制御部（１５）は、
前記生体情報取得部（１４）で取得している生体情報を特定する情報を、前記ドライバー（Ｄ）に通知する
請求項１、請求項２、請求項３、請求項４、請求項５の何れかに記載の運転管理装置。
【請求項７】
ドライバー（Ｄ）の生体情報を外部サーバ（３Ａ〜３Ｄ、３Ｘ）に送出する生体情報送出ステップ（ＳＰ５）と、
前記生体情報の判定により前記ドライバー（Ｄ）の異常を検出する生体情報判定ステップ（ＳＰ３）と、
前記ドライバー（Ｄ）の異常が検出されない場合、前記生体情報を前記外部サーバ（３Ａ〜３Ｄ、３Ｘ）に送出して前記外部サーバ（３Ａ〜３Ｄ、３Ｘ）から得られる前記生体情報の分析結果を前記ドライバー（Ｄ）に通知する分析結果通知ステップ（ＳＰ６）と、
前記ドライバー（Ｄ）の異常が検出されると、前記ドライバー（Ｄ）に警告を通知する警告通知ステップ（ＳＰ９）と、
前記警告通知ステップ（ＳＰ９）により前記ドライバー（Ｄ）に警告を通知しても、前記ドライバー（Ｄ）の異常が解消しない場合、車両の走行を停止する停止制御ステップ（ＳＰ１１）とを備える
運転管理方法。
【請求項８】
演算処理回路における実行により所定の処理手順を実行させる運転管理プログラムにおいて、
前記処理手順は、
ドライバー（Ｄ）の生体情報を外部サーバ（３Ａ〜３Ｄ、３Ｘ）に送出する生体情報送出ステップ（ＳＰ５）と、
前記生体情報の判定により前記ドライバー（Ｄ）の異常を検出する生体情報判定ステップ（ＳＰ３）と、
前記ドライバー（Ｄ）の異常が検出されない場合、前記生体情報を前記外部サーバ（３Ａ〜３Ｄ、３Ｘ）に送出して前記外部サーバ（３Ａ〜３Ｄ、３Ｘ）から得られる前記生体情報の分析結果を前記ドライバー（Ｄ）に通知する分析結果通知ステップ（ＳＰ６）と、
前記ドライバー（Ｄ）の異常が検出されると、前記ドライバー（Ｄ）に警告を通知する警告通知ステップ（ＳＰ９）と、
前記警告通知ステップ（ＳＰ９）により前記ドライバー（Ｄ）に警告を通知しても、前記ドライバー（Ｄ）の異常が解消しない場合、車両の走行を停止する停止制御ステップ（ＳＰ１１）とを備える
運転管理プログラム。
【発明の詳細な説明】
【技術分野】
【０００１】
本発明は、運転管理装置、運転管理方法及び運転管理プログラムに関するものである。
【背景技術】
【０００２】
従来、車両に関して、安全を図る工夫が種々に提案されている。具体的に、特許文献１には、ドライバーの異常が検出されると、管理センターにおいて安全運転が可能か否か判断して対応を図る構成が開示されている。
【先行技術文献】
【特許文献】
【０００３】
【特許文献１】特開２００２−７４５９９号公報
【発明の概要】
【発明が解決しようとする課題】
【０００４】
ところでドライバーの異常にあっては、事故を防止し、さらには人命を保護する観点より、迅速に運転を中止することが必要な場合がある。また異常の内容によっては、異常に至るまでの経過情報が、その後の救護活動等に役立つ場合もある。
【０００５】
本発明は以上の点を考慮してなされたものであり、ドライバーの異常により迅速に運転を中止することができ、さらに必要に応じて異常に至るまでの経過情報を迅速に提供することができる運転管理装置、運転管理方法及び運転管理プログラムを提案することを目的とする。
【課題を解決するための手段】
【０００６】
係る課題を解決するため、請求項１の発明に係る運転管理装置は、
ドライバーの生体情報を取得する生体情報取得部と、
外部サーバとのデータ通信に供する外部通信部と、
前記ドライバーに情報を提供する情報提供部と、
前記外部通信部及び前記情報提供部を制御する制御部とを備え、
前記制御部は、
前記生体情報取得部で取得される前記生体情報を前記外部通信部により前記外部サーバに送出し、
前記生体情報取得部で取得される前記生体情報の判定により前記ドライバーの異常を検出し、
前記ドライバーの異常が検出されない場合、前記生体情報を前記外部サーバに送出して前記外部サーバから得られる前記生体情報の分析結果を前記ドライバーに通知し、
前記ドライバーの異常が検出されると、前記情報提供部により前記ドライバーに警告を通知し、
前記ドライバーに警告を通知しても、前記ドライバーの異常が解消しない場合、車両の走行を停止する。
【０００７】
請求項１の構成によれば、生体情報取得部で取得される生体情報の判定によりドライバーの異常が検出されると、情報提供部によりドライバーに警告を通知し、ドライバーに警告を通知しても異常が解消しない場合、車両の走行を停止することにより、ドライバーの異常により迅速に運転を中止することができる。またさらにこの生体情報を外部通信部により外部サーバに送出することにより、この外部サーバを利用して異常に至るまでの経過情報を迅速に提供することができる。またさらにドライバーの異常が検出されない場合、この外部サーバから得られる生体情報の分析結果をドライバーに通知することにより、生体情報取得部で取得される生体情報を有効に利用して、健康管理等に利用することができる。
【０００８】
請求項２の発明は、請求項１の構成において、
前記制御部は、
前記生体情報取得部で取得される生体情報を記録する生体情報記録部を備え、
前記生体情報記録部に記録した前記生体情報を基準にして、前記生体情報取得部で取得される前記生体情報を判定して前記ドライバーの異常を検出する。
【０００９】
請求項２の構成によれば、
ドライバーの個人データを利用して異常を検出することができ、正確に異常を検出することができる。
【００１０】
請求項３の発明は、請求項１又は請求項２の構成において、
前記情報提供部が、前記車両の車両情報を表示する表示部であり、
前記制御部は、
前記表示部を介して、前記生体情報の分析結果を前記ドライバーに通知する。
【００１１】
請求項４の発明は、請求項１又は請求項２の構成において、
前記ドライバーの情報携帯端末との間でデータ通信する内部通信部を備え、
前記制御部は、
前記内部通信部により、前記ドライバーの情報携帯端末を介して、前記生体情報の分析結果を前記ドライバーに通知する。
【００１２】
請求項３又は請求項４の構成によれば、分析結果をドライバーにより確認することができる。
【００１３】
請求項５の発明は、請求項１、請求項２、請求項３、請求項４の何れかの構成において、
前記制御部は、
前記ドライバーにより前記外部サーバの選択を受け付け、
前記生体情報を送出して分析結果を取得する外部サーバが、
前記ドライバーにより選択された外部サーバである。
【００１４】
請求項５の構成によれば、種々の分析結果を提供する外部サーバからユーザーの所望する分析結果を提供する外部サーバを選択することができ、これによりユーザーのニーズに応じたサービスを選択して利便性を向上することができる。
【００１５】
請求項６の発明は、請求項１、請求項２、請求項３、請求項４、請求項５の何れかの構成において、
前記制御部は、
前記生体情報取得部で取得している生体情報を特定する情報を、前記ドライバーに通知する。
【００１６】
請求項６の構成によれば、如何なる生体情報を取得しているのかをドライバーで確認できることにより、安心感を与えることができる。
【００１７】
請求項７の発明に係る運転管理方法は、
ドライバーの生体情報を外部サーバに送出する生体情報送出ステップと、
前記生体情報の判定により前記ドライバーの異常を検出する生体情報判定ステップと、
前記ドライバーの異常が検出されない場合、前記生体情報を前記外部サーバに送出して前記外部サーバから得られる前記生体情報の分析結果を前記ドライバーに通知する分析結果通知ステップと、
前記ドライバーの異常が検出されると、前記ドライバーに警告を通知する警告通知ステップと、
前記警告通知ステップにより前記ドライバーに警告を通知しても、前記ドライバーの異常が解消しない場合、車両の走行を停止する停止制御ステップとを備える。
【００１８】
請求項７の構成によれば、生体情報の判定によりドライバーの異常が検出されると、ドライバーに警告を通知し、ドライバーに警告を通知しても異常が解消しない場合、車両の走行を停止することにより、ドライバーの異常により迅速に運転を中止することができる。またさらにこの生体情報を外部サーバに送出することにより、この外部サーバを利用して異常に至るまでの経過情報を迅速に提供することができる。またさらにドライバーの異常が検出されない場合、この外部サーバから得られる生体情報の分析結果をドライバーに通知することにより、生体情報を有効に利用して、健康管理等に利用することができる。
【００１９】
請求項８の発明は、演算処理回路における実行により所定の処理手順を実行させる運転管理プログラムにおいて、
前記処理手順は、
ドライバーの生体情報を外部サーバに送出する生体情報送出ステップと、
前記生体情報の判定により前記ドライバーの異常を検出する生体情報判定ステップと、
前記ドライバーの異常が検出されない場合、前記生体情報を外部サーバに送出して前記外部サーバから得られる前記生体情報の分析結果を前記ドライバーに通知する分析結果通知ステップと、
前記ドライバーの異常が検出されると、前記ドライバーに警告を通知する警告通知ステップと、
前記警告通知ステップにより前記ドライバーに警告を通知しても、前記ドライバーの異常が解消しない場合、車両の走行を停止する停止制御ステップとを備える。
【００２０】
請求項８の構成によれば、生体情報の判定によりドライバーの異常が検出されると、ドライバーに警告を通知し、ドライバーに警告を通知しても異常が解消しない場合、車両の走行を停止することにより、ドライバーの異常により迅速に運転を中止することができる。またさらにこの生体情報を外部サーバに送出することにより、この外部サーバを利用して異常に至るまでの経過情報を迅速に提供することができる。またさらにドライバーの異常が検出されない場合、この外部サーバから得られる生体情報の分析結果をドライバーに通知することにより、生体情報を有効に利用して、健康管理等に利用することができる。
【発明の効果】
【００２１】
本発明の運転管理装置、運転管理方法及び運転管理プログラムによれば、ドライバーの異常により迅速に運転を中止することができ、さらに必要に応じて異常に至るまでの経過情報を迅速に提供することができる。
【図面の簡単な説明】
【００２２】
【図１】本発明の実施形態に係る運転管理装置を示すブロック図である。
【図２】外部サーバの説明に供する図である。
【図３】図１の運転管理装置における制御部の構成を示すブロック図である。
【図４】外部サーバによる分析結果の表示を示す図である。
【図５】図４とは異なる例による表示を示す図である。
【図６】図４及び図５とは異なる例による表示を示す図である。
【図７】警告表示を示す図である。
【図８】センシング中のデータに係る表示を示す図である。
【図９】図１の運転管理装置の動作の説明に供するフローチャートである。
【図１０】図９の続きのフローチャートである。
【発明を実施するための形態】
【００２３】
〔第１実施形態〕
図１は、本発明の第１実施形態に係る運転管理装置を示すブロック図である。
この運転管理装置１は、車両にてドライバーＤ（図２に示す）の異常を検出して対応を図り、さらにはドライバーＤに種々のサービスを提供する。運転管理装置１は、車両に設けられた情報処理装置により構成されるものの、ドライバーＤが携帯して車両に持ち込む情報携帯端末により構成する場合等、種々の構成を広く適用することができる。
ここでこの運転管理装置１で検出するドライバーＤの異常は、ドライバーＤの正常な運転を妨げる恐れのある異常であり、心筋梗塞、発熱等の身体上の異常、過度の疲労、居眠り等による異常である。
【００２４】
この運転管理装置１は、情報携帯端末２、外部サーバ３Ａ〜３Ｄ、３Ｘ、車両制御ＥＣＵ（ｅｎｇｉｎｅ  ｃｏｎｔｒｏｌ  ｕｎｉｔ）４とデータ通信可能に構成される。
ここで情報携帯端末２は、ドライバーＤの携帯する情報携帯端末であり、いわゆるスマートフォン、各種ウエアラブル端末を適用することができる。
【００２５】
外部サーバ３Ａ〜３Ｄ、３Ｘは、運転管理装置１で取得される各種のデータを利用してドライバーＤに各種のサービスを提供する外部サーバである。
より具体的に、図２に示すように、外部サーバ（緊急用サーバ）３Ａは、ドライバーＤの異常時、後述するように運転管理装置１においてドライバーＤに警告しても異常が解消しない場合、運転管理装置１に設けられた制御部１５からのリクエストにより、このドライバーＤの異常通知を受け付け、各種の緊急対応処理を実行する。ここでこの緊急対応処理は、運転管理装置１から車両の現在位置情報を取得し、この現在位置情報に基いて救急車等の手配を実行する処理である。また外部サーバ３Ａは、運転管理装置１からこのドライバーＤに関する生体情報を記録した外部サーバ３Ｂ〜３Ｃのアドレス、ドライバーＤの個人情報を事前に取得して保持し、緊急対応処理は、救急車による搬送先の医療機関からの問い合わせにより、この事前に取得して保持したアドレス、個人情報を通知し、ドライバーＤの生体情報を取得できるようにする。なおこの緊急対応処理にあっては、これら以外の、緊急時連絡先にメール等によりドライバーＤの異常を通知する等、種々のサービスを適用することができる。
【００２６】
外部サーバ（健康系サーバ）３Ｂは、ドライバーＤの健康管理に係るサービスを提供する外部サーバであり、運転管理装置１から健康管理に必要な生体情報を取得してこの生体情報の履歴を記録する。なおこの生体情報は、例えば血圧、体温、心拍、脈拍等である。外部サーバ３Ｂは、さらに外部サーバ３Ａの緊急対応処理による医療機関からの問い合わせにより、記録された生体情報をこの問い合せに係る医療機関に提供する。また運転管理装置１から提供される生体情報を分析し、分析結果である健康診断結果、健康状態を運転管理装置１に通知し、さらには健康管理に必要な各種の情報（例えば検診を進める通知）を提供する。
【００２７】
外部サーバ（病気系サーバ）３Ｃは、ドライバーＤの病歴を管理する外部サーバであり、ドライバーＤの病歴を記録し、さらに運転管理装置１から健康管理に必要な生体情報を取得してこの生体情報の履歴を記録する。なおこの生体情報は、例えば血圧、体温、心拍、脈拍等である。外部サーバ３Ｃは、さらに外部サーバ３Ａの緊急対応処理による医療機関からの問い合わせにより、記録された病歴、生体情報をこの問い合せに係る医療機関に提供する。また運転管理装置１から提供される生体情報を分析し、分析結果である情報を運転管理装置１に通知し、さらには病気の予防に必要な各種の情報（例えば検診を進める病院の紹介、医薬品の紹介等）を通知する。
【００２８】
外部サーバ（美容系サーバ）３Ｄは、ドライバーＤに美容に関するサービスを提供する外部サーバであり、ドライバーＤの生体情報の１つである顔画像の撮像結果を運転管理装置１から取得して記録し、さらにこの顔画像の画像処理による生体情報の分析により、肌年齢、肌の状態等による分析結果を運転管理装置１に通知する。また事前の設定に応じて、この分析結果により、例えばお勧めの美容院等を通知する。
【００２９】
外部サーバ（運転技能系サーバ）３Ｘは、ドライバーＤの運転技能に関するサービスを提供する外部サーバであり、ドライバーＤの運転技能の判断に必要な情報（例えば生体情報の１つであるドライバーＤの目線の情報、ハンドル操作、車間距離等の車両情報）を運転管理装置１から取得し、この取得した情報を分析し、分析結果（運転スキル）をアドバイスの情報等と共に運転管理装置１に通知する。
なお外部サーバは、これら以外に、種々のサービスを提供する外部サーバを広く適用することができる。
【００３０】
車両制御ＥＣＵ４（図１）は、この運転管理装置１が搭載されている車両において、この車両の動作を制御するコントローラである。車両制御ＥＣＵ４は、運転管理装置１からの要求により、外部サーバ３Ｘの処理に必要な情報、現在位置情報等を運転管理装置１に通知する。なおこれによりこの運転管理装置１に係る車両には、運転管理装置１で利用する外部サーバ３Ａ〜３Ｄ、３Ｘに応じて、ドライバーＤの姿勢の検出に供するセンサ、撮像装置、車間距離を検出するレーダ等が設けられる。またさらに運転管理装置１からの指示により、ドライバーＤの異常時、車両の走行を停止制御する。
【００３１】
運転管理装置１は、内部通信部１１、外部通信部１２、情報提供部１３、生体情報取得部１４、制御部１５を備える。また情報提供部１３は、表示部１３Ａ、スピーカ１３Ｂを備える。
ここで内部通信部１１は、情報携帯端末２との間のデータ通信に供する構成であり、制御部１５の制御により各種のデータを情報携帯端末２との間で送受する。
外部通信部１２は、外部サーバ３Ａ〜３Ｄ、３Ｘとのデータ通信に供する構成であり、制御部１５の制御により各種のデータを外部サーバ３Ａ〜３Ｄ、３Ｘとの間で送受する。
【００３２】
情報提供部１３は、ドライバーＤに各種の情報を提供する構成であり、この情報を画像情報により提供する表示部１３Ａ、この情報を音声により提供するスピーカ１３Ｂを備える。運転管理装置１は、この情報提供部１３により、ドライバーＤに警告を通知する。
ここで表示部１３Ａは、この車両にて画像情報を提供する各種の構成を適用することができ、例えば車速、エンジンの回転速度等の車両情報を表示する画像表示パネルによるメータパネル、ナビゲーションの処理に供する画像表示パネル等を適用することができる。
【００３３】
生体情報取得部１４は、ドライバーＤの生体情報を取得する。ここで生体情報は、ドライバーＤの異常を検出し、さらにはドライバーＤに関する外部サーバ３Ａ〜３Ｄ、３Ｘの処理に必要な情報であり、ドライバーＤの血圧、体温、心拍、脈拍、表情筋の状態、ドライバーＤの姿勢等の情報である。これにより生体情報取得部１４は、これら生体情報を取得可能な各種構成を適用することができる。具体的に生体情報取得部１４は、例えば血圧、体温、心拍、脈拍の検出に供するセンサ、血圧、体温、心拍、脈拍の検出に供するドライバーＤの装着したウエアラブル端末、ドライバーＤの顔画像を撮像して表情筋の処理に必要な撮像結果を取得する撮像装置、ドライバーＤの体温を検出するサーモグラフィー、ドライバーＤの姿勢を検出して居眠り、疲労度の判定に供するセンサ又は撮像装置等を適用することができる。
【００３４】
制御部１５は、運転管理装置１の各部を制御するコントローラである。
図３は、この制御部１５の要部を運転管理装置１の周辺構成と関連付けて示す機能ブロック図である。
制御部１５は、この運転管理装置１に係る車両管理プログラムを演算処理回路により実行することにより、この図３に示す機能ブロックが構成される。
【００３５】
この制御部１５において、車両制御ＥＣＵＩ／Ｆ部２１は、車両制御ＥＣＵ４とのデータ通信に供するインターフェースである。
生体情報Ｉ／Ｆ部２２は、生体情報取得部１４で取得された生体情報を入力するインターフェースである。
外部通信Ｉ／Ｆ部２３は、外部サーバ３Ａ〜３Ｄ、３Ｘとのデータ通信に供するインターフェースである。
内部通信Ｉ／Ｆ部２４は、内部通信部１１を介して情報携帯端末２とデータ通信に供するインターフェースである。
情報提供Ｉ／Ｆ部２５は、情報提供部１３に画像データ、音声データを出力するインターフェースである。
【００３６】
解析部２７は、生体情報Ｉ／Ｆ部２２から出力される生体情報を続く判定部２８により判定可能に処理して出力し、判定部２８は、この解析部２７の出力データを所定の判定基準により判定することにより、ドライバーＤの異常を検出する。
具体的に、ドライバーＤの心拍、血圧により心筋梗塞等の循環器系の疾患を検出することができることにより、これらの判定によりドライバーＤの異常を検出する。またドライバーＤの表情筋の変化により、ドライバーＤの過度の疲労、居眠り運転等の異常を検出できることにより、ドライバーＤの顔の撮像結果の解析による表情筋の変化を検出してドライバーＤの異常を検出する。
【００３７】
生体情報記録部２９は、このドライバーＤの異常判定に供する生体情報をドライバーＤ毎に記録して保持する。判定部２８は、この生体情報記録部２９に記録された対応するドライバーＤの過去の生体情報を平均値化して判定基準を設定してドライバーＤの異常を検出する。これにより運転管理装置１は、ドライバーＤ個人の過去の記録を利用して異常を検出することができ、正確に異常を検出することができる。
【００３８】
正常データ受信部３０は、ドライバーＤの異常が検出されない場合、外部サーバ３Ｂ〜３Ｄに出力する生体情報を取得して外部通信Ｉ／Ｆ部２３に出力し、制御部１５では、この生体情報を対応する外部サーバ３Ｂ〜３Ｄ、３Ｘに出力する。
異常データ受信部３１は、ドライバーＤの異常が検出された場合、外部サーバ３Ａに送出するデータを外部通信Ｉ／Ｆ部２３に出力し、またこの異常の検出を警告表示生成部３２に出力する。
警告表示生成部３２は、異常データ受信部３１を介して通知されるドライバーＤの異常検出により、この異常をドライバーＤに通知する表示の画像データ、音声データを生成して情報提供部１３に出力する。
【００３９】
受信用データ受付部３３は、外部通信Ｉ／Ｆ部２３から出力される外部サーバ３Ａ〜３Ｄ、３Ｘのデータを内部通信Ｉ／Ｆ部２４、分析結果表示生成部３４に出力する。
分析結果表示生成部３４は、受信用データ受付部３３の出力データより外部サーバ３Ａ〜３Ｄ、３Ｘで提供されるサービスの画像データを生成する。
【００４０】
これらの構成により制御部１５は、各部の動作を制御し、ドライバーＤの異常を検出して対応を図り、さらにはドライバーＤに外部サーバ３Ａ〜３Ｄ、３Ｘを利用した種々のサービスを提供する。
すなわち制御部１５は、事前に、ドライバーＤの操作により情報提供Ｉ／Ｆ部２５を介して情報提供部１３を駆動し、外部サーバ３Ａ〜３Ｄ、３Ｘにより利用可能なサービスを一覧表示する。またこの一覧表示におけるドライバーＤの選択を受け付ける。これにより制御部１５は、サービスを利用する外部サーバ３Ａ〜３Ｄ、３Ｘの選択を事前に受け付ける。なお情報携帯端末２により外部サーバ３Ａ〜３Ｄ、３Ｘの選択を受け付けるようにしてもよい。
【００４１】
制御部１５は、車両より電源の供給が開始されると動作を開始し、事前に選択されたサービスを利用する外部サーバ３Ａ〜３Ｄ、３Ｘの処理に必要な各種の情報を生体情報Ｉ／Ｆ部２２、車両制御ＥＣＵＩ／Ｆ部２１から取得し、取得した情報を外部通信Ｉ／Ｆ部２３を介して対応する外部サーバ３Ａ〜３Ｄ、３Ｘに出力する。またこの情報を外部サーバ３Ａ〜３Ｄ、３Ｘで分析して得られる分析結果等を外部通信Ｉ／Ｆ部２３、受信用データ受付部３３を介して取得する。またこの取得した情報をドライバーＤの操作により内部通信Ｉ／Ｆ部２４より出力して情報携帯端末２で表示し、さらには分析結果表示生成部３４、情報提供Ｉ／Ｆ部２５を介して情報提供部１３で表示する。なお分析結果は、情報携帯端末２、情報提供部１３の何れかで表示するようにしてもよい。
これにより運転管理装置１では、外部サーバ３Ａ〜３Ｄ、３Ｘを利用した種々のサービスを提供する。
【００４２】
より具体的に、外部サーバ３Ｂの利用が選択された場合、制御部１５は、生体情報Ｉ／Ｆ部２２を介して健康管理に必要な血圧、体温、心拍、脈拍等による生体情報を取得し、この生体情報を外部通信Ｉ／Ｆ部２３を介して外部サーバ３Ｂに通知する。またこの生体情報の分析結果等を、外部通信Ｉ／Ｆ部２３、受信用データ受付部３３を介して取得し、ドライバーＤの指示により内部通信Ｉ／Ｆ部２４より出力して情報携帯端末２で表示し、さらには分析結果表示生成部３４、情報提供Ｉ／Ｆ部２５を介して情報提供部１３で表示する。
【００４３】
図４は、この分析結果の表示例を示す図である。この図４の例は、車速、エンジンの回転速度等の車両情報を表示するメータパネルによる表示部１３Ａにより分析結果を表示する構成であり、表示部１３Ａの左側領域に走行速度を示すメータの表示Ｍ１が設けられ、右側領域に燃料計、バッテリ残量、シフトレバーの位置の表示Ｍ２、Ｍ３、Ｍ４が設けられる。また中央領域に矩形形状による情報表示領域Ａが形成される。
表示部１３Ａは、この情報表示領域Ａに、サービスの種類「健康系外部サーバ」、分析結果「●健康診断結果  総合評価  C  やや異常があります。」、コメント「●おすすめの病院  ……」が表示される。
【００４４】
また外部サーバ３Ｃの利用が選択された場合、制御部１５は、同様に、生体情報Ｉ／Ｆ部２２を介して血圧、体温、心拍、脈拍等による生体情報を取得し、この生体情報を外部通信Ｉ／Ｆ部２３を介して外部サーバ３Ｃに通知する。またこの生体情報の分析結果等を、外部通信Ｉ／Ｆ部２３、受信用データ受付部３３を介して取得し、ドライバーＤの指示により内部通信Ｉ／Ｆ部２４より出力して情報携帯端末２で表示し、さらには分析結果表示生成部３４、情報提供Ｉ／Ｆ部２５を介して情報提供部１３で表示する。
【００４５】
また外部サーバ３Ｄの利用が選択された場合、制御部１５は、生体情報Ｉ／Ｆ部２２を介して顔画像の撮像結果を取得し、この撮像結果を外部通信Ｉ／Ｆ部２３を介して外部サーバ３Ｂに通知する。またこの撮像結果の分析結果等を、外部通信Ｉ／Ｆ部２３、受信用データ受付部３３を介して取得し、ドライバーＤの指示により内部通信Ｉ／Ｆ部２４より出力して情報携帯端末２で表示し、さらには分析結果表示生成部３４、情報提供Ｉ／Ｆ部２５を介して情報提供部１３で表示する。
【００４６】
図５は、図４との対比によりこの分析結果の表示例を示す図である。この図５の例では、情報表示領域Ａに、サービスの種類「美容系外部サーバ」、分析結果「●肌年齢解析結果  総合評価  A  異常は見られませんでした。」、コメント「●おすすめのお店  ……」が表示される。
【００４７】
また外部サーバ３Ｘの利用が選択された場合、制御部１５は、車両制御ＥＣＵＩ／Ｆ部２１を介して車両情報等を取得し、この情報を外部通信Ｉ／Ｆ部２３を介して外部サーバ３Ｘに通知する。また分析結果等を、外部通信Ｉ／Ｆ部２３、受信用データ受付部３３を介して取得し、ドライバーＤの指示により内部通信Ｉ／Ｆ部２４より出力して情報携帯端末２で表示し、さらには分析結果表示生成部３４、情報提供Ｉ／Ｆ部２５を介して情報提供部１３で表示する。
【００４８】
図６は、図４との対比によりこの分析結果の表示例を示す図である。この図６の例では、情報表示領域Ａに、サービスの種類「運転技能系外部サーバ」、分析結果「●ドライバスキル  総合評価  B」、コメント「●運転アドバイス  ……」が表示される。
【００４９】
このようにして外部サーバ３Ａ〜３Ｄ、３Ｘを利用してサービスを提供するようにして、制御部１５は、このサービスの利用に係る生体情報によりドライバーＤの異常を検出して対応を図る。
すなわち制御部１５は、生体情報については、外部サーバ３Ａ〜３Ｄ、３Ｘの利用の有無に拘わらず、動作開始時より常時取得し、この取得した生体情報を解析部２７で処理した後、一定の判定基準により判定部２８で判定し、これによりドライバーＤの異常を検出する。
具体的に、急激な血圧、体温、心拍、脈拍の変化は、何等かの身体の異常と考えられ、これにより制御部１５は、これらの変化を判定基準により判定してドライバーＤの異常を検出する。
また居眠り、過度の疲労により表情筋の運動が変化し、さらには姿勢が変化することにより、これらの時間変化を判定してドライバーＤの居眠り、過度の疲労を検出してドライバーＤの異常を検出する。
【００５０】
制御部１５は、ドライバーＤの異常が検出されると、この異常の検出を異常データ受信部３１を介して警告表示生成部３２に通知し、ここで警告に供する画像データ、音声データを生成する。またこの画像データ、音声データを情報提供Ｉ／Ｆ部２５を介して情報提供部１３に出力し、警告の画像を表示部１３Ａで表示し、さらには警告の音声をスピーカ１３Ｂより出力する。
【００５１】
図７は、図４との対比によりこの警告の表示例を示す図である。この図７の例では、情報表示領域Ａに、警告表示であることを示す表示「警告」、警告の内容「疲労度が高まっているので休息を推奨します」が表示される。
これにより運転管理装置１では、車両にてドライバーＤの異常を検出して対応を図ることができ、ドライバーＤの異常により迅速に運転を中止することができる。また外部サーバ３Ａ〜３Ｄ、３Ｘによるサービスに使用する生体情報を有効に利用してドライバーＤの異常を検出することにより、必要に応じてこの外部サーバ３Ａ〜３Ｄ、３Ｘに出力した生体情報を利用することができ、これにより異常に至るまでの経過情報を迅速に提供することができる。
【００５２】
制御部１５は、解析部２７から出力される生体情報を生体情報記録部２９に記録して保持し、この記録して保持した過去の生体情報に基いて、ドライバーＤの異常判定に供する判定基準を適宜更新する。すなわち血圧、心拍数、平熱等は、個人によって変化する。また表情筋の変化、姿勢も個人で異なる。これによりこのように過去の生体情報に基いて、ドライバーＤの異常判定に供する判定基準を適宜更新すれば、より正確にドライバーＤの異常を検出することができる。
【００５３】
このようにしてドライバーＤの異常が検出されると、制御部１５は、外部サーバ３Ａ〜３Ｄ、３Ｘへの生体情報等の出力を中止することにより、これら外部サーバ３Ａ〜３Ｄ、３Ｘへの利用を中止し、さらには分析結果の表示を中止する。なお外部サーバ３Ａ〜３Ｄ、３Ｘの利用を継続するようにしてもよい。
【００５４】
制御部１５は、このようにして警告によりドライバーＤに異常を通知した後、ドライバーＤの異常が一定時間継続する場合、車両制御ＥＣＵＩ／Ｆ部２１を介して車両制御ＥＣＵ４に車両の走行停止を指示し、これにより事故の発生を未然に防止する。なおこの処理において、車両が自動運転により路側帯等の安全地帯に退避可能な場合、この安全地帯への退避を指示して走行を停止させる。なお例えばドライバーＤが意識を失った場合等にあっては、警告しても充分に対応を図れない。このような場合には、例えば血圧、心拍等が急激に大きく変化する。これにより警告後の走行停止の指示に係る一定時間は、異常の検出に供した生体情報に応じて適宜設定される。
【００５５】
制御部１５は、このようにしてドライバーＤの異常が検出され、車両制御ＥＣＵ４により車両を停止させた場合にあって、ドライバーＤにより外部サーバ３Ａの利用が選択されている場合、この外部サーバ３ＡにドライバーＤの異常、車両の現在位置情報等を通知する。なおこの異常通知により外部サーバ３Ａで緊急対応処理を実行可能に、制御部１５は、事前に、ドライバーＤが利用している生体情報を利用する外部サーバ３Ｂ、３Ｃ、この外部サーバ３Ｂ、３ＣにアクセスするためのドライバーＤの個人情報等の入力を受け付け、これらの情報を外部サーバ３Ａに通知する。
【００５６】
このようにして生体情報を有効利用するようにして、制御部１５は、ドライバーＤによる設定により、取得中の生体情報を特定する情報を表示部１３Ａで表示する。
これにより運転管理装置１では、ドライバーＤに安心感を与えることができる。
【００５７】
具体的に、図８は、図４との対比によりこの生体情報の表示を示す図である。この図８の例では、表示の内容を特定する表示「センシング中のデータ」、生体情報を特定する表示「血圧  体温」、情報の送信先を特定する表示「データ送信先  外部サーバ  A社」、接続状態を示す表示「接続性  問題なし」が設けられる。
【００５８】
図９及び図１０は、ドライバーＤの異常検出に供する生体情報の処理に係る制御部１５の処理手順を示すフローチャートである。
制御部１５は、電源の供給開始によりこの処理手順を開始し、生体情報取得部１４から生体情報を取得し、この生体情報がドライバーＤの異常時のデータ（異常データ）か、ドライバーＤの正常時のデータ（正常データ）か判定する（ＳＰ１−ＳＰ２−ＳＰ３）。
ここで正常データの場合、生体情報の送信先の外部サーバを判定し、この外部サーバに生体データを送出するように、外部通信部１２に生体情報を送出する。またこの外部サーバから適宜、分析結果を取得し、ドライバーＤにより表示が指示されている場合、表示部１３Ａ又は情報携帯端末（スマホ：スマートフォン）２で表示する（ＳＰ４−ＳＰ５−ＳＰ６）。またエンジンが停止されていない場合には、改めて生体情報を取得して一連の処理を繰り返す（ＳＰ７−ＳＰ２）。またエンジンが停止された場合、この処理を終了する（ＳＰ７−ＳＰ８）。
【００５９】
これに対して異常データが検出されると、外部サーバからの分析結果の表示を中止して表示部１３Ａに警告を表示し、又はスピーカ１３Ｂより警告の音声データによる音声（警告音）を出力し、改めて生体情報を取得してドライバーＤの異常が継続しているか判断する（ＳＰ３−ＳＰ９−ＳＰ１０）。
ここでドライバーＤの異常が解消している場合、警告表示及び警告音の出力を停止し、改めて生体情報を取得して一連の処理を繰り返す（ＳＰ１０−ＳＰ２）
ドライバーＤの異常が解消していない場合、車両制御ＥＣＵ４に走行の停止を指示し、エンジンを停止させてこの処理手順を終了する（ＳＰ１０−ＳＰ１１−ＳＰ８）。
【００６０】
以上の構成によれば、生体情報を外部サーバに送出して生体情報を利用したサービスをドライバーに提供するようにして、この生体情報によりドライバーの異常が検出されない場合、外部サーバから得られる生体情報の分析結果をドライバーに通知し、ドライバーの異常が検出されると、ドライバーに警告を通知し、ドライバーに警告を通知しても、ドライバーの異常が解消しない場合、車両の走行を停止することにより、外部サーバのサービスに係る構成を有効に利用してドライバーの異常により迅速に運転を中止することができる。またさらに外部サーバを利用して異常に至るまでの経過情報を迅速に提供することができる。またドライバーの異常が検出されない場合、外部サーバから得られる生体情報の分析結果をドライバーに通知することにより、健康管理等に生体情報を利用するサービスを提供することができる。
【００６１】
また生体情報記録部に記録した生体情報を基準にして、生体情報を判定してドライバーの異常を検出することにより、ドライバーの個人データを利用して異常を検出して、正確に異常を検出することができる。
【００６２】
また車両の車両情報を表示する表示部を介して、生体情報の分析結果をドライバーに通知することにより、またドライバーの情報携帯端末を介して、生体情報の分析結果をドライバーに通知することにより、分析結果をドライバーにより確認することができる。
【００６３】
またさらにドライバーにより外部サーバの選択を受け付け、この外部サーバに生体情報を送出して分析結果を取得することにより、ユーザーの所望する分析結果を提供する外部サーバを選択することができ、これによりユーザーのニーズに応じたサービスを選択して利便性を向上することができる。
【００６４】
また生体情報取得部で取得している生体情報を特定する情報を、ドライバーに通知することにより、如何なる生体情報を取得しているのかをドライバーで確認でき、安心感を与えることができる。
【００６５】
〔他の実施形態〕
以上、本発明の実施に好適な具体的な構成を詳述したが、本発明は、本発明の趣旨を逸脱しない範囲で、上述の実施形態の構成を種々に変更することができる。
【符号の説明】
【００６６】
１  運転管理装置
２  情報携帯端末
３Ａ〜３Ｄ、３Ｘ  外部サーバ
４  車両制御ＥＣＵ
１１  内部通信部
１２  外部通信部
１３  情報提供部
１３Ａ  表示部
１３Ｂ  スピーカ
１４  生体情報取得部
１５  制御部
２１  車両制御ＥＣＵＩ／Ｆ部
２２  生体情報Ｉ／Ｆ部
２３  外部通信Ｉ／Ｆ部
２４  内部通信Ｉ／Ｆ部
２５  情報提供Ｉ／Ｆ部
２７  解析部
２８  判定部
２９  生体情報記録部
３０  正常データ受信部
３１  異常データ受信部
３２  警告表示生成部
３３  受信データ受付部
３４  分析結果表示生成部
【図１】
2020119385.tif 000003
【図２】
2020119385.tif 000004
【図３】
2020119385.tif 000005
【図４】
2020119385.tif 000006
【図５】
2020119385.tif 000007
【図６】
2020119385.tif 000008
【図７】
2020119385.tif 000009
【図８】
2020119385.tif 000010
【図９】
2020119385.tif 000011
【図１０】
2020119385.tif 000012